(57)【特許請求の範囲】
【請求項１】
配列基板１１０と、パルス発生回路１２０と、からなる表示装置であって、
前記配列基板１１０は、複数の表示画素ユニットを備えた表示領域１１１と、前記表示領域１１１外に設けられ、前記表示画素ユニットに走査信号を提供する走査駆動回路１１４と、前記表示領域１１１外に設けられ、前記表示画素ユニットにデータ信号を提供するデータ駆動回路１１２と、前記データ駆動回路１１２にガンマ基準電圧を提供するガンマ電圧発生回路１１３と、を有し、
前記パルス発生回路１２０は、前記走査駆動回路１１４および前記データ駆動回路１１２のそれぞれに制御信号を提供してタイミングを合わせて駆動させるとともに、一周期に５つのパルスとして、順に、Ｗ＿ｄｉｓｃｈａｒｇｅ、Ｗ１、Ｗ２、Ｗ３、Ｗ＿ｓａｍｐｌｅの５つのパルスを有する一連のＰＷＭ信号を生成して、この一連のＰＷＭ信号を前記ガンマ電圧発生回路１１３に入力し、
前記ガンマ電圧発生回路１１３は、ＰＷＭ信号展開部２２１と、ＯＲゲートサブ回路２２２と、スイッチ２２３と、充放電サブ回路２２４と、サンプル保持サブ回路２２５と、を備え、
前記ＰＷＭ信号展開部２２１は、前記パルス発生回路１２０が発生させた前記一連のＰＷＭ信号を並列する５つのＰＷＭ信号ＳＲ＿ｄｉｓｃｈａｒｇｅ、ＳＲ１、ＳＲ２、ＳＲ３、ＳＲ＿ｓｍｐｌｅに展開し、
このとき、
前記ＰＷＭ信号ＳＲ＿ｄｉｓｃｈａｒｇｅは、前記Ｗ＿ｄｉｓｃｈａｒｇｅパルスだけを抜き出して生成されるＰＷＭ信号であり、
前記ＰＷＭ信号ＳＲ１は、前記Ｗ１パルスだけを抜き出して生成されるＰＷＭ信号であり、
前記ＰＷＭ信号ＳＲ２は、前記Ｗ２パルスだけを抜き出して生成されるＰＷＭ信号であり、
前記ＰＷＭ信号ＳＲ３は、前記Ｗ３パルスだけを抜き出して生成されるＰＷＭ信号であり、
前記ＰＷＭ信号ＳＲ＿ｓｍｐｌｅは、前記Ｗ＿ｓａｍｐｌｅパルスだけを抜き出して生成されるＰＷＭ信号であり、
前記ＰＷＭ信号展開部２２１は、前記ＰＷＭ信号ＳＲ＿ｄｉｓｃｈａｒｇｅを、前記充放電サブ回路２２４と、前記サンプル保持サブ回路２２５と、に送り、
前記ＰＷＭ信号展開部２２１は、前記ＰＷＭ信号ＳＲ１、ＳＲ２、ＳＲ３を、前記ＯＲゲートサブ回路２２２に送り、
前記ＰＷＭ信号展開部２２１は、前記ＰＷＭ信号ＳＲ＿ｓａｍｐｌｅ信号を、前記サンプル保持サブ回路２２５に送り、
前記ＯＲゲートサブ回路２２２は、前記ＰＷＭ信号ＳＲ１、ＳＲ２、ＳＲ３を用いて、デューティ比が異なる並列した３つのＰＷＭ信号ＯＲ１、ＯＲ２、ＯＲ３を生成し、
このとき、
前記ＰＷＭ信号ＯＲ１は、前記ＰＷＭ信号ＳＲ１だけからなるＰＷＭ信号であり、
前記ＰＷＭ信号ＯＲ２は、前記ＰＷＭ信号ＳＲ１と、前記ＰＷＭ信号ＳＲ２と、からなるＰＷＭ信号であり、
前記ＰＷＭ信号ＯＲ３は、前記ＰＷＭ信号ＳＲ１と、前記ＰＷＭ信号ＳＲ２と、前記ＰＷＭ信号ＳＲ３と、からなるＰＷＭ信号であり、
前記スイッチ２２３は、第１スイッチトランジスタ２２３Ｔ１と、第２スイッチトランジスタ２２３Ｔ２と、第３スイッチトランジスタ２２３Ｔ３と、を有し、
前記充放電サブ回路２２４は、第１充電コンデンサ２２４Ｃａと、第２充電コンデンサ２２４Ｃｂと、第３充電コンデンサ２２４Ｃｃと、を有し、
前記第１スイッチトランジスタ２２３Ｔ１のゲート電極には前記ＰＷＭ信号ＯＲ１が入力され、ドレイン電極は高圧側電源ＶＣＣに接続され、ソース電極は第１充電コンデンサ２２４Ｃａの一端側電極に接続され、
前記第２スイッチトランジスタ２２３Ｔ２のゲート電極には前記ＰＷＭ信号ＯＲ２が入力され、ドレイン電極は高圧側電源ＶＣＣに接続され、ソース電極は第２充電コンデンサ２２４Ｃｂの一端側電極に接続され、
前記第３スイッチトランジスタ２２３Ｔ３のゲート電極には前記ＰＷＭ信号ＯＲ３が入力され、ドレイン電極は高圧側電源ＶＣＣに接続され、ソース電極は第３充電コンデンサ２２４Ｃｃの一端側電極に接続され、
第１、２、３充電コンデンサ２２４Ｃａ、２２４Ｃｂ、２２４Ｃｃの他端側電極は、低圧側電源に接続され、
前記サンプル保持サブ回路２２５は、第１サンプリングトランジスタ２２５Ｔ１と、第２サンプリングトランジスタ２２５Ｔ２と、第３サンプリングトランジスタ２２５Ｔ３と、第１サンプリングコンデンサ２２５Ｃａと、第２サンプリングコンデンサ２２５Ｃｂと、第３サンプリングコンデンサ２２５Ｃｃと、を備え、
前記第１サンプリングトランジスタ２２５Ｔ１のゲート電極には前記ＰＷＭ信号ＳＲ＿ｓｍｐｌｅが入力され、ドレイン電極は前記第１充電コンデンサ２２４Ｃａの一端側電極に接続され、ソース電極は前記第１サンプリングコンデンサ２２５Ｃａの一端側電極に接続され、
前記第２サンプリングトランジスタ２２５Ｔ２のゲート電極には前記ＰＷＭ信号ＳＲ＿ｓｍｐｌｅが入力され、ドレイン電極は前記第２充電コンデンサ２２４Ｃｂの一端側電極に接続され、ソース電極は前記第２サンプリングコンデンサ２２５Ｃｂの一端側電極に接続され、
前記第３サンプリングトランジスタ２２５Ｔ３のゲート電極には前記ＰＷＭ信号ＳＲ＿ｓｍｐｌｅが入力され、ドレイン電極は前記第３充電コンデンサ２２４Ｃｃの一端側電極に接続され、ソース電極は前記第３サンプリングコンデンサ２２５Ｃｃの一端側電極に接続され、
前記第１サンプリングコンデンサ２２５Ｃａの一端側電極の電圧をＶ１とし、前記第２サンプリングコンデンサ２２５Ｃｂの一端側電極の電圧をＶ２とし、前記第３サンプリングコンデンサ２２５Ｃｃの一端側電極の電圧をＶ３として、
前記ガンマ電圧発生回路１１３は、前記電圧Ｖ１、Ｖ２、Ｖ３に基づいて生成した前記ガンマ基準電圧を前記データ駆動回路に提供する
ことを特徴とする表示装置。
【請求項２】
請求項１に記載の表示装置において、
前記充放電サブ回路２２４は、さらに、放電トランジスタ（２２４Ｔ１、２２４Ｔ２、２２４Ｔ３）を有し、
前記放電トランジスタ（２２４Ｔ１、２２４Ｔ２、２２４Ｔ３）のゲート電極にはＰＷＭ信号ＳＲ＿ｄｉｓｃｈａｒｇｅが入力され、ドレイン電極は前記第１、２、３スイッチトランジスタ２２３Ｔ１、２２３Ｔ２、２２３Ｔ３のソース電極に接続され、ソース電極は低圧側電源に接続されている
ことを特徴とする表示装置。
【請求項３】
請求項１または請求項２に記載の表示装置において、
前記サンプル保持サブ回路２２５は、
さらに、リセットトランジスタ（２２５Ｔ４、２２５Ｔ５、２２５Ｔ６）を有し、
前記リセットトランジスタ（２２５Ｔ４、２２５Ｔ５、２２５Ｔ６）のゲート電極にはＰＷＭ信号ＳＲ＿ｄｉｓｃｈａｒｇｅが入力され、ドレイン電極は、前記第１、２、３サンプリングトランジスタ２２５Ｔ１、２２５Ｔ２、２２５Ｔ３のソース電極に接続され、ソース電極は低圧側電源に接続されている
ことを特徴とする表示装置。
【発明の詳細な説明】
【技術分野】
【０００１】
本発明は、表示装置の技術領域に関し、特に配列基板と、表示装置及びその駆動方法に関する。
【背景技術】
【０００２】
ＴＦＴ−ＬＣＤ表示装置は一般的に、配列基板と、カラーフィルタ基板と、その間に挟まれた液晶層と、からなる。
配列基板は、配列して並べられた画素によって構成される有効表示領域からなり、さらに有効表示領域外のデータ駆動回路Ｓｏｕｒｃｅ  Ｄｒｉｖｅｒと、走査駆動回路Ｇａｔｅ  Ｄｒｉｖｅｒと、を備える。
データ駆動回路及び走査駆動回路は、それぞれ各画素に接続され、画素を駆動させることにより表示させる。
【０００３】
ＴＦＴ−ＬＣＤ表示装置は、さらにデータ駆動回路にガンマ基準電圧を提供することが必要であり、現在、液晶パネルの駆動回路内のガンマ電圧を発生させるため、業界では、主に二種類の方式が採用されている。
一つは、電気抵抗を用いて分圧させる方式と、もう一つは、図１に示すように、プログラマブル制御チップであるＰｏｗｅｒ  ＩＣを加える方式とがある。
二つ目の方式については、データ駆動回路をさらに、配列基板の外のパルス発生回路（Ｔｃｏｎ）及びプログラマブル制御チップ（ＰＶＢ）にそれぞれ接続させる。
プログラマブル制御チップの主な作用は、データ駆動回路にガンマ基準電圧を提供することである。
【０００４】
一つ目の方法によって、電気抵抗分圧の方式を採用した場合、このような電圧を提供する方式は、コストは比較的低いが、電圧提供の方法がスムーズではなく、調整しにくい。
二つ目の方式によれば、プログラマブル制御チップは、直接ガンマ電圧を出力することができ、このような電圧の提供方式はスムーズである。
しかし、プログラマブル制御チップはコストがかかり、プログラマブル制御チップを採用した場合、生産コストがかさむことも否めない。
【発明の概要】
【発明が解決しようとする課題】
【０００５】
本発明は、配列基板、表示装置及びその駆動方法を提供するにあたり、高いコストと、調整のしにくさと、を解決する。
すなわち、本発明は、プログラマブル制御チップを採用した場合と比べて、コストを削減する。
かつ、本発明は、電気抵抗分圧を採用した場合に比べて、調整しやすくする。
【課題を解決するための手段】
【０００６】
本発明の表示装置は、
配列基板１１０と、パルス発生回路１２０と、からなる表示装置であって、
前記配列基板１１０は、複数の表示画素ユニットを備えた表示領域１１１と、前記表示領域１１１外に設けられ、前記表示画素ユニットに走査信号を提供する走査駆動回路１１４と、前記表示領域１１１外に設けられ、前記表示画素ユニットにデータ信号を提供するデータ駆動回路１１２と、前記データ駆動回路１１２にガンマ基準電圧を提供するガンマ電圧発生回路１１３と、を有し、
前記パルス発生回路１２０は、前記走査駆動回路１１４および前記データ駆動回路１１２のそれぞれに制御信号を提供してタイミングを合わせて駆動させるとともに、一周期に５つのパルスとして、順に、Ｗ＿ｄｉｓｃｈａｒｇｅ、Ｗ１、Ｗ２、Ｗ３、Ｗ＿ｓａｍｐｌｅの５つのパルスを有する一連のＰＷＭ信号を生成して、この一連のＰＷＭ信号を前記ガンマ電圧発生回路１１３に入力し、
前記ガンマ電圧発生回路１１３は、ＰＷＭ信号展開部２２１と、ＯＲゲートサブ回路２２２と、スイッチ２２３と、充放電サブ回路２２４と、サンプル保持サブ回路２２５と、を備え、
前記ＰＷＭ信号展開部２２１は、前記パルス発生回路１２０が発生させた前記一連のＰＷＭ信号を並列する５つのＰＷＭ信号ＳＲ＿ｄｉｓｃｈａｒｇｅ、ＳＲ１、ＳＲ２、ＳＲ３、ＳＲ＿ｓｍｐｌｅに展開し、
このとき、
前記ＰＷＭ信号ＳＲ＿ｄｉｓｃｈａｒｇｅは、前記Ｗ＿ｄｉｓｃｈａｒｇｅパルスだけを抜き出して生成されるＰＷＭ信号であり、
前記ＰＷＭ信号ＳＲ１は、前記Ｗ１パルスだけを抜き出して生成されるＰＷＭ信号であり、
前記ＰＷＭ信号ＳＲ２は、前記Ｗ２パルスだけを抜き出して生成されるＰＷＭ信号であり、
前記ＰＷＭ信号ＳＲ３は、前記Ｗ３パルスだけを抜き出して生成されるＰＷＭ信号であり、
前記ＰＷＭ信号ＳＲ＿ｓｍｐｌｅは、前記Ｗ＿ｓａｍｐｌｅパルスだけを抜き出して生成されるＰＷＭ信号であり、
前記ＰＷＭ信号展開部２２１は、前記ＰＷＭ信号ＳＲ＿ｄｉｓｃｈａｒｇｅを、前記充放電サブ回路２２４と、前記サンプル保持サブ回路２２５と、に送り、
前記ＰＷＭ信号展開部２２１は、前記ＰＷＭ信号ＳＲ１、ＳＲ２、ＳＲ３を、前記ＯＲゲートサブ回路２２２に送り、
前記ＰＷＭ信号展開部２２１は、前記ＰＷＭ信号ＳＲ＿ｓａｍｐｌｅ信号を、前記サンプル保持サブ回路２２５に送り、
前記ＯＲゲートサブ回路２２２は、前記ＰＷＭ信号ＳＲ１、ＳＲ２、ＳＲ３を用いて、デューティ比が異なる並列した３つのＰＷＭ信号ＯＲ１、ＯＲ２、ＯＲ３を生成し、
このとき、
前記ＰＷＭ信号ＯＲ１は、前記ＰＷＭ信号ＳＲ１だけからなるＰＷＭ信号であり、
前記ＰＷＭ信号ＯＲ２は、前記ＰＷＭ信号ＳＲ１と、前記ＰＷＭ信号ＳＲ２と、からなるＰＷＭ信号であり、
前記ＰＷＭ信号ＯＲ３は、前記ＰＷＭ信号ＳＲ１と、前記ＰＷＭ信号ＳＲ２と、前記ＰＷＭ信号ＳＲ３と、からなるＰＷＭ信号であり、
前記スイッチ２２３は、第１スイッチトランジスタ２２３Ｔ１と、第２スイッチトランジスタ２２３Ｔ２と、第３スイッチトランジスタ２２３Ｔ３と、を有し、
前記充放電サブ回路２２４は、第１充電コンデンサ２２４Ｃａと、第２充電コンデンサ２２４Ｃｂと、第３充電コンデンサ２２４Ｃｃと、を有し、
前記第１スイッチトランジスタ２２３Ｔ１のゲート電極には前記ＰＷＭ信号ＯＲ１が入力され、ドレイン電極は高圧側電源ＶＣＣに接続され、ソース電極は第１充電コンデンサ２２４Ｃａの一端側電極に接続され、
前記第２スイッチトランジスタ２２３Ｔ２のゲート電極には前記ＰＷＭ信号ＯＲ２が入力され、ドレイン電極は高圧側電源ＶＣＣに接続され、ソース電極は第２充電コンデンサ２２４Ｃｂの一端側電極に接続され、
前記第３スイッチトランジスタ２２３Ｔ３のゲート電極には前記ＰＷＭ信号ＯＲ３が入力され、ドレイン電極は高圧側電源ＶＣＣに接続され、ソース電極は第３充電コンデンサ２２４Ｃｃの一端側電極に接続され、
第１、２、３充電コンデンサ２２４Ｃａ、２２４Ｃｂ、２２４Ｃｃの他端側電極は、低圧側電源に接続され、
前記サンプル保持サブ回路２２５は、第１サンプリングトランジスタ２２５Ｔ１と、第２サンプリングトランジスタ２２５Ｔ２と、第３サンプリングトランジスタ２２５Ｔ３と、第１サンプリングコンデンサ２２５Ｃａと、第２サンプリングコンデンサ２２５Ｃｂと、第３サンプリングコンデンサ２２５Ｃｃと、を備え、
前記第１サンプリングトランジスタ２２５Ｔ１のゲート電極には前記ＰＷＭ信号ＳＲ＿ｓｍｐｌｅが入力され、ドレイン電極は前記第１充電コンデンサ２２４Ｃａの一端側電極に接続され、ソース電極は前記第１サンプリングコンデンサ２２５Ｃａの一端側電極に接続され、
前記第２サンプリングトランジスタ２２５Ｔ２のゲート電極には前記ＰＷＭ信号ＳＲ＿ｓｍｐｌｅが入力され、ドレイン電極は前記第２充電コンデンサ２２４Ｃｂの一端側電極に接続され、ソース電極は前記第２サンプリングコンデンサ２２５Ｃｂの一端側電極に接続され、
前記第３サンプリングトランジスタ２２５Ｔ３のゲート電極には前記ＰＷＭ信号ＳＲ＿ｓｍｐｌｅが入力され、ドレイン電極は前記第３充電コンデンサ２２４Ｃｃの一端側電極に接続され、ソース電極は前記第３サンプリングコンデンサ２２５Ｃｃの一端側電極に接続され、
前記第１サンプリングコンデンサ２２５Ｃａの一端側電極の電圧をＶ１とし、前記第２サンプリングコンデンサ２２５Ｃｂの一端側電極の電圧をＶ２とし、前記第３サンプリングコンデンサ２２５Ｃｃの一端側電極の電圧をＶ３として、
前記ガンマ電圧発生回路１１３は、前記電圧Ｖ１、Ｖ２、Ｖ３に基づいて生成した前記ガンマ基準電圧を前記データ駆動回路に提供する
ことを特徴とする。
【０００７】
本発明では、
前記充放電サブ回路２２４は、さらに、放電トランジスタ（２２４Ｔ１、２２４Ｔ２、２２４Ｔ３）を有し、
前記放電トランジスタ（２２４Ｔ１、２２４Ｔ２、２２４Ｔ３）のゲート電極にはＰＷＭ信号ＳＲ＿ｄｉｓｃｈａｒｇｅが入力され、ドレイン電極は前記第１、２、３スイッチトランジスタ２２３Ｔ１、２２３Ｔ２、２２３Ｔ３のソース電極に接続され、ソース電極は低圧側電源に接続されている
ことが好ましい。
【０００８】
本発明では、
前記サンプル保持サブ回路２２５は、
さらに、リセットトランジスタ（２２５Ｔ４、２２５Ｔ５、２２５Ｔ６）を有し、
前記リセットトランジスタ（２２５Ｔ４、２２５Ｔ５、２２５Ｔ６）のゲート電極にはＰＷＭ信号ＳＲ＿ｄｉｓｃｈａｒｇｅが入力され、ドレイン電極は、前記第１、２、３サンプリングトランジスタ２２５Ｔ１、２２５Ｔ２、２２５Ｔ３のソース電極に接続され、ソース電極は低圧側電源に接続されている
ことが好ましい。
【図面の簡単な説明】
【０００９】
【図１】従来方式において、プログラマブル制御チップ（ＰＶＢ）によってガンマ電圧を配列基板に提供する構造の概略図である。
【図２】表示装置の一実施例の構造概略図である。
【図３】配列基板の一実施例の回路概略図である。
【図４】駆動方法の一実施方式の工程図である。
【図５】駆動方法のもう一つの実施方式の工程図である。
【図６】駆動方法を説明するための全体タイミングチャートである。
【図７】一のＰＷＭ信号をＰＷＭ信号展開部で一つずつのパラレルな信号に展開する工程を説明するための概略図である。
【図８】ＯＲゲートサブ回路により、ＰＷＭ信号ＳＲ１、ＳＲ２、ＳＲ３からデューティ比が異なる三つのＰＷＭ信号ＯＲ１、ＯＲ２、ＯＲ３を生成する工程を説明するための概略図である。
【図９】ＰＷＭ信号ＯＲ１、ＯＲ２、ＯＲ３により、スイッチを介して充放電サブ回路を充放電する工程を説明するための概略図である。
【図１０】サンプル保持サブ回路の構成概略図である。
【図１１】充放電サブ回路の電圧波形の概略図である。
【図１２】充放電サブ回路およびサンプル保持サブ回路の電圧波形の概略図である。
【発明を実施するための形態】
【００１０】
以下では、図及び実施方式を示して、本発明について詳しく説明する。
図２を参照する。
図２は、本発明による表示装置の内、一つの実施例の構造概略図である。
前記表示装置は、配列基板１１０と、パルス発生回路１２０と、からなる。
【００１１】
配列基板１１０は、表示領域１１１と、データ駆動回路１１２と、ガンマ電圧発生回路１１３と、からなる。
【００１２】
表示領域１１１は、配列して並べられた複数の表示画素ユニット（図示せず）からなり、走査駆動回路１１４及びデータ駆動回路１１２からの駆動信号に基づき、対応する図像を表示するのに用いられる。
【００１３】
データ駆動回路１１２は、表示領域１１１内の表示画素ユニットに駆動信号を提供するのに用いられる。
【００１４】
ガンマ電圧発生回路１１３は、パルス発生回路１２０が発生させたＰＷＭ信号を受信するとともに、ＰＷＭ信号に基づきスイッチのオン及びオフを制御するのに用いられる。スイッチがオンの時、データ駆動回路１１２にガンマ基準電圧を提供するコンデンサを高圧側電源ＶＣＣによって充電させる一方、スイッチがオフの時、充電を停止させ、データ駆動回路１１２に提供するガンマ基準電圧を得る。
【００１５】
パルス発生回路１２０は、パルス駆動信号を発生するのに用いられ、走査駆動回路１１４及びデータ駆動回路１１２のそれぞれを駆動させるとともに、ガンマ電圧発生回路１１３にＰＷＭ信号を送信する。
【００１６】
従来の技術と違うのは、本実施方式は、ガンマ発生回路を配列基板内に集中させて設けることにより、余分な制御チップを増やす必要がなく、価格の比較的高価なプログラマブル制御のチップを採用した場合に比べて、コストが削減できることである。
また、プログラマブル制御においてチップを基板に接続するには多くのデータ線が必要であるのに対して、本発明においては、一本のデータ線だけでＰＷＭ信号を送信でき、本発明のガンマ電圧発生回路１１３とデータ駆動回路１１２との間の接続に、配列基板の薄膜電界効果トランジスタを代わりに用いるか、または基板に印刷すると、配列基板において負担が生じず、パルス発生回路１２０と基板との間で必要なデータ線の数を減らすことができる。
また、電気抵抗分圧方式を採用した場合に比べて、可変電気抵抗を採用すると、コンピューターで電気抵抗の変換を制御するのは困難である上に、可変電気抵抗には、シミュレーション回路に特有の不安定さの問題もあるゆえ、通常用いられる電気抵抗は、製品の型番に基づき、電気抵抗の大小及び電気抵抗により得られる電圧を確定させるため、調整しにくい。
それに対し、本発明は、パルス発生回路１２０が発生させるＰＷＭ信号がスイッチオン及びオフを制御することで、データ駆動回路１１２に提供されるガンマ基準電圧は、装置の型番による制限の影響がなく、更に調整しやすい。
【００１７】
図３を参照する。
図３は、本発明の配列基板１１０の実施例の構造概略図である。
配列基板１１０は、図２に示す表示装置内の配列基板１１０に準ずる。
また、配列基板１１０は、ガンマ電圧発生回路１１３と、データ駆動回路１１２と、走査駆動回路１１４と、表示領域１１１と、を備える。
【００１８】
ガンマ電圧発生回路１１３は、ＰＷＭ信号展開部２２１と、ＯＲゲートサブ回路２２２と、スイッチ２２３と、充放電サブ回路２２４と、サンプル保持サブ回路２２５と、からなる。
【００１９】
ＰＷＭ信号展開部２２１は、パルス発生回路１２０が発生させた一連のＰＷＭ信号を受信するとともに、一連のＰＷＭ信号を並列した複数のＰＷＭ信号に展開させるのに用いられる。
【００２０】
例えば、パルス発生回路１２０は、一周期あたり５つのパルス信号からなるＰＷＭ信号を発生させる。
図７を参照する。
図７は、一連のＰＷＭ信号がＰＷＭ信号展開部２２１で展開される様子を示す概略図である。
パルス発生回路１２０は、一周期あたりに、順番に、Ｗ＿ｄｉｓｃｈａｒｇｅ、Ｗ１、Ｗ２、Ｗ３、Ｗ＿ｓａｍｐｌｅの５つのパルスを発生させる。
ＰＷＭ信号展開部２２１は、パルス発生回路１２０が順番に発生させたＷ＿ｄｉｓｃｈａｒｇｅ、Ｗ１、Ｗ２、Ｗ３、Ｗ＿ｓａｍｐｌｅの５つのパルスを含むＰＷＭ信号を受信し、前記順序でＰＷＭ信号を、並列する５つのＰＷＭ信号ＳＲ＿ｄｉｓｃｈａｒｇｅ、ＳＲ１、ＳＲ２、ＳＲ３、ＳＲ＿ｓｍｐｌｅに展開させる。
ＰＷＭ信号ＳＲ＿ｄｉｓｃｈａｒｇｅは、一連のＰＷＭ信号からＷ＿ｄｉｓｃｈａｒｇｅパルスだけを抜き出して生成されるＰＷＭ信号である。
ＰＷＭ信号ＳＲ１は、一連のＰＷＭ信号からＷ１パルスだけを抜き出して生成されるＰＷＭ信号である。
ＰＷＭ信号ＳＲ２は、一連のＰＷＭ信号からＷ２パルスだけを抜き出して生成されるＰＷＭ信号である。
ＰＷＭ信号ＳＲ３は、一連のＰＷＭ信号からＷ３パルスだけを抜き出して生成されるＰＷＭ信号である。
ＰＷＭ信号ＳＲ＿ｓｍｐｌｅは、一連のＰＷＭ信号からＷ＿ｓａｍｐｌｅパルスだけを抜き出して生成されるＰＷＭ信号である。
ＰＷＭ信号展開部２２１は、ＰＷＭ信号ＳＲ＿ｄｉｓｃｈａｒｇｅを、充放電サブ回路２２４と、サンプル保持サブ回路２２５と、に送る。
ＰＷＭ信号展開部２２１は、ＰＷＭ信号ＳＲ１、ＳＲ２、ＳＲ３を、ＯＲゲートサブ回路２２２に送る。
ＰＷＭ信号展開部２２１は、ＰＷＭ信号ＳＲ＿ｓａｍｐｌｅ信号を、サンプル保持サブ回路２２５に送る。
【００２１】
ＯＲゲートサブ回路２２２は、３つのＰＷＭ信号ＳＲ１、ＳＲ２、ＳＲ３を用いて、デューティ比が異なる並列した３つのＰＷＭ信号ＯＲ１、ＯＲ２、ＯＲ３を生成する。
【００２２】
例えば、上記した５つの並列したＰＷＭ信号のうちの３つのＰＷＭ信号ＳＲ１、ＳＲ２、ＳＲ３から、デューティ比が異なる三つのＰＷＭ信号ＯＲ１、ＯＲ２、ＯＲ３を生成する。
図８を参照する。
図８は、ＯＲゲートサブ回路２２２において、ＰＷＭ信号ＳＲ１、ＳＲ２、ＳＲ３からＰＷＭ信号ＯＲ１、ＯＲ２、ＯＲ３を生成する工程を説明するための概略図である。
ＰＷＭ信号ＯＲ１は、ＰＷＭ信号ＳＲ１だけからなるＰＷＭ信号である。
ＰＷＭ信号ＯＲ２は、ＰＷＭ信号ＳＲ１と、ＰＷＭ信号ＳＲ２と、からなるＰＷＭ信号である。
ＰＷＭ信号ＯＲ３は、ＰＷＭ信号ＳＲ１と、ＰＷＭ信号ＳＲ２と、ＰＷＭ信号ＳＲ３と、からなるＰＷＭ信号である。
ＯＲゲートサブ回路２２２は、ＰＷＭ信号ＳＲ１、ＳＲ２、ＳＲ３を、デューティ比が異なる三つのＰＷＭ信号ＯＲ１、ＯＲ２、ＯＲ３に調整するとともに、スイッチ２２３に送る。
【００２３】
スイッチ２２３は、薄膜電界効果トランジスタ、またはその他の同様の効果を持った機能を備えるトランジスタからなる。スイッチ２２３は、ＯＲゲートサブ回路２２２と、高圧側電源ＶＣＣと（図示せず）、充放電サブ回路２２４と、を接続させる。
【００２４】
スイッチ２２３は、ＰＷＭ信号によりスイッチのオン及びオフを制御し、電圧電流の通過を制御する。
【００２５】
スイッチ２２３は、薄膜電界効果トランジスタまたは同様の効果を持った機能を備えるその他のトランジスタであり、上記の異なるＰＷＭ信号ＯＲ１、ＯＲ２、ＯＲ３は、スイッチ２２３のオンまたはオフを制御する。ＰＷＭ信号が高電圧の時、スイッチ２２３をオンにし、ＰＷＭ信号が低電圧の時、スイッチ２２３をオフにする。
【００２６】
充放電サブ回路２２４は、スイッチ２２３のオンまたはオフに基づき、コンデンサに対して充放電を行う。
図９を参照する。
図９は、スイッチ２２３と充放電サブ回路２２４の構成の概略図である。
スイッチ２２３は、第１スイッチトランジスタ２２３Ｔ１と、第２スイッチトランジスタ２２３Ｔ２と、第３スイッチトランジスタ２２３Ｔ３と、を備える。
充放電サブ回路２２４は、第１放電トランジスタ２２４Ｔ１と、第２放電トランジスタ２２４Ｔ２と、第３放電トランジスタ２２４Ｔ３と、第１充電コンデンサ２２４Ｃａと、第２充電コンデンサ２２４Ｃｂと、第３充電コンデンサ２２４Ｃｃと、を備える。
第１スイッチトランジスタ２２３Ｔ１のゲート電極にはＰＷＭ信号ＯＲ１が入力され、ドレイン電極は高圧側電源ＶＣＣに接続され、ソース電極は第１放電トランジスタ２２４Ｔ１のドレイン電極に接続されている。
第２スイッチトランジスタ２２３Ｔ２のゲート電極にはＰＷＭ信号ＯＲ２が入力され、ドレイン電極は高圧側電源ＶＣＣに接続され、ソース電極は第２放電トランジスタ２２４Ｔ２のドレイン電極に接続されている。
第３スイッチトランジスタ２２３Ｔ３のゲート電極にはＰＷＭ信号ＯＲ３が入力され、ドレイン電極は高圧側電源ＶＣＣに接続され、ソース電極は第３放電トランジスタ２２４Ｔ３のドレイン電極に接続されている。
第１、２、３放電トランジスタ２２４Ｔ１、２、３のゲート電極にはＰＷＭ信号ＳＲ＿ｄｉｓｃｈａｒｇｅが入力され、ソース電極は低圧側電源に接続されている。
第１充電コンデンサ２２４Ｃａの一端側電極は、第１スイッチトランジスタ２２３Ｔ１のソース電極に接続されている。
第２充電コンデンサ２２４Ｃｂの一端側電極は、第２スイッチトランジスタ２２３Ｔ２のソース電極に接続されている。
第３充電コンデンサ２２４Ｃｃの一端側電極は、第３スイッチトランジスタ２２３Ｔ３のソース電極に接続されている。
第１、２、３充電コンデンサ２２４Ｃａ、２２４Ｃｂ、２２４Ｃｃの他端側電極は、低圧側電源に接続されている。
第１充電コンデンサ２２４Ｃａの一端側電極の電圧をＶｔａｒ１とし、第２充電コンデンサ２２４Ｃｂの一端側電極の電圧をＶｔａｒ２とし、第３充電コンデンサ２２４Ｃｃの一端側電極の電圧をＶｔａｒ３とする。
スイッチ２２３（第１スイッチトランジスタ２２３Ｔ１、第２スイッチトランジスタ２２３Ｔ２、第３スイッチトランジスタ２２３Ｔ３）がオンの時、高圧側電源ＶＣＣによってコンデンサ（第１充電コンデンサ２２４Ｃａ、第２充電コンデンサ２２４Ｃｂ、第３充電コンデンサ２２４Ｃｃ）を充電させ、スイッチ２２３がオフの時、充電を停止させるとともに、次回新たに充電する前に、ＰＷＭ信号ＳＲ＿ｄｉｓｃｈａｒｇｅにより、コンデンサ（第１充電コンデンサ２２４Ｃａ、第２充電コンデンサ２２４Ｃｂ、第３充電コンデンサ２２４Ｃｃ）の電荷を０にし、蓄電しないようにする。
図１１を参照する。
図１１は、充放電サブ回路２２４の第１、２、３充電コンデンサ２２４Ｃａ、２２４Ｃｂ、２２４Ｃｃの一端側電極の電圧波形の概略図である。
【００２７】
サンプル保持サブ回路２２５は、ガンマ基準電圧を安定させるとともに、安定した電圧をデータ駆動回路１１２に送る。
図１０を参照する。
図１０は、サンプル保持サブ回路２２５の構成概略図である。
サンプル保持サブ回路２２５は、
第１サンプリングトランジスタ２２５Ｔ１と、
第２サンプリングトランジスタ２２５Ｔ２と、
第３サンプリングトランジスタ２２５Ｔ３と、
第１リセットトランジスタ２２５Ｔ４と、
第２リセットトランジスタ２２５Ｔ５と、
第３リセットトランジスタ２２５Ｔ６と、
第１サンプリングコンデンサ２２５Ｃａと、
第２サンプリングコンデンサ２２５Ｃｂと、
第３サンプリングコンデンサ２２５Ｃｃと、を備える。
【００２８】
第１サンプリングトランジスタ２２５Ｔ１のゲート電極には、ＰＷＭ信号ＳＲ＿ｓｍｐｌｅが入力され、ドレイン電極は第１充電コンデンサ２２４Ｃａの一端側電極に接続され、ソース電極は第１リセットトランジスタ２２５Ｔ４のドレイン電極に接続されている。
第２サンプリングトランジスタ２２５Ｔ２のゲート電極には、ＰＷＭ信号ＳＲ＿ｓｍｐｌｅが入力され、ドレイン電極は第２充電コンデンサ２２４Ｃｂの一端側電極に接続され、ソース電極は第２リセットトランジスタ２２５Ｔ５のドレイン電極に接続されている。
第３サンプリングトランジスタ２２５Ｔ３のゲート電極には、ＰＷＭ信号ＳＲ＿ｓｍｐｌｅが入力され、ドレイン電極は第３充電コンデンサ２２４Ｃｃの一端側電極に接続され、ソース電極は第３リセットトランジスタ２２５Ｔ６のドレイン電極に接続されている。
第１、２、３リセットトランジスタ２２５Ｔ４、２２５Ｔ５、２２５Ｔ６のゲート電極には、ＰＷＭ信号ＳＲ＿ｄｉｓｃｈａｒｇｅが入力され、ソース電極は低圧側電源に接続されている。
第１サンプリングコンデンサ２２５Ｃａの一端側電極は、第１サンプリングトランジスタ２２５Ｔ１のソース電極に接続されている。
第２サンプリングコンデンサ２２５Ｃｂの一端側電極は、第２サンプリングトランジスタ２２５Ｔ２のソース電極に接続されている。
第３サンプリングコンデンサ２２５Ｃｃの一端側電極は、第３サンプリングトランジスタ２２５Ｔ３のソース電極に接続されている。
第１、２、３サンプリングコンデンサ２２５Ｃａ、２２５Ｃｂ、２２５Ｃｃの他端側電極は、低圧側電源に接続されている。
【００２９】
第１サンプリングコンデンサ２２５Ｃａの一端側電極の電圧をＶ１とし、第２サンプリングコンデンサ２２５Ｃｂの一端側電極の電圧をＶ２とし、第３サンプリングコンデンサ２２５Ｃｃの一端側電極の電圧をＶ３とする。
ガンマ基準電圧は、電圧Ｖ１、Ｖ２、Ｖ３の単独か、あるいは、電圧Ｖ１、Ｖ２、Ｖ３の組み合わせで生成される信号である。
【００３０】
最後のＰＷＭ信号の有効幅Ｗ３が終了してから、ＰＷＭ信号ＳＲ＿ｓａｍｐｌｅ信号が送信される。
このとき、Ｖｔａｒ１、２、３の電圧はコンデンサ（第１サンプリングコンデンサ２２５Ｃａ、第２サンプリングコンデンサ２２５Ｃｂ、第３サンプリングコンデンサ２２５Ｃｃ）を充電させ、データ駆動回路１１２に送信する電圧を安定して保持させる。
ＰＷＭ信号ＳＲ＿ｄｉｓｃｈａｒｇｅは、コンデンサ（第１サンプリングコンデンサ２２５Ｃａ、第２サンプリングコンデンサ２２５Ｃｂ、第３サンプリングコンデンサ２２５Ｃｃ）に溜まった電荷をクリアする。
ガンマ基準電圧が新たに設定される時、コンデンサ（第１サンプリングコンデンサ２２５Ｃａ、第２サンプリングコンデンサ２２５Ｃｂ、第３サンプリングコンデンサ２２５Ｃｃ）をクリアする必要がある。
図１２を参照する。
図１２は、充放電サブ回路２２４およびサンプル保持サブ回路２２５の電圧波形の概略図である。
【００３１】
データ駆動回路１１２は、ガンマ電圧発生回路１１３が発生させるガンマ基準電圧およびパルス発生回路１２０の制御信号を受信し、受信した制御信号に基づき、表示領域１１１に対応する図像を表示させるのに用いられる。
【００３２】
走査駆動回路１１４は、表示領域１１１に走査駆動信号を送信するのに用いられる。
【００３３】
表示領域１１１は、走査駆動回路１１４及びデータ駆動回路１１２の駆動信号に基づき、対応する図像を表示する。
【００３４】
図４を参照する。図４は、本発明の駆動方法による一つの実施方式の工程図である。本発明が提供する駆動方法は、以下のＳ１０１、Ｓ１０２、Ｓ１０３の手順からなる。
【００３５】
Ｓ１０１は、パルス発生回路１２０からのＰＷＭ信号を受信する手順である。
【００３６】
平面表示装置の駆動システムは一般的に、走査駆動回路１１４及びデータ駆動回路１１２からなり、走査駆動回路１１４は、ある画素をオンまたはオフにする役割があり、データ駆動回路１１２は、ある画素がオンの時に画素電圧信号を提供する役割がある。
走査駆動回路１１４及びデータ駆動回路１１２は、ＴＣｏｎが発生させる信号によって制御されると同時に、ＴＣｏｎが発生させる制御信号電圧が足りない場合は、さらに参考電圧を提供する必要がある。
ＰＷＭ信号は、パルス発生回路１２０によって生じ、パルス発生回路１２０は、ＴＣｏｎ内のＰＷＭ信号を発生させるサブ回路またはその他同様の効果を持った回路によることができる。
【００３７】
Ｓ１０２は、前記ＰＷＭ信号に基づき、ガンマ基準電圧を生成する手順である。
【００３８】
手順Ｓ１０１で受信したＰＷＭ信号が制御するスイッチオンまたはオフの信号に基づき、データ駆動回路１１２にガンマ基準電圧を提供するコンデンサに対して充放電を行う。ＰＷＭ信号が高電圧でスイッチオンの信号の時、高圧側電源ＶＣＣによって前記コンデンサを充電させ、ＰＷＭ信号が低電圧でスイッチオフの信号の時、充電を停止させるとともに、次回新たに充電する前に、先に放電信号によってコンデンサの電圧が０になるようにし、蓄電しないようにしてから、ガンマ基準電圧を生成する。
【００３９】
Ｓ１０３は、前記ガンマ基準電圧をデータ駆動回路１１２に送信する手順である。
【００４０】
前記ガンマ基準電圧を、データ駆動回路１１２に送信する。データ駆動回路１１２は、受信した信号に基づき駆動信号に変換し、表示領域１１１に送信する。
【００４１】
表示領域１１１は、走査駆動回路１１４及びデータ駆動回路１１２の駆動信号に基づき、対応する図像を表示させる。
【００４２】
図５を参照する。図５は、本発明の駆動方法による別の一実施方式の工程図である。本発明が提供するもう一つの駆動方法は、以下のＳ２０１，Ｓ２０２，Ｓ２０３，Ｓ２０４．Ｓ２０５，Ｓ２０６の手順からなる。
【００４３】
Ｓ２０１は、パルス発生回路１２０からのＰＷＭ信号を受信する手順である。
【００４４】
ＰＷＭ信号がパルス発生回路１２０に発生してから、手順Ｓ２０２へと進む。
【００４５】
Ｓ２０２は、ＰＷＭ信号を並列した複数のＰＷＭ信号に展開する手順である。
【００４６】
パルス発生回路１２０から送信されたＰＷＭ信号は、ＰＷＭ信号展開部２２１によって並列した複数のＰＷＭ信号に展開され、パルス発生回路１２０から送信されたＰＷＭ信号が５つのパルス信号によってなる場合、ＰＷＭ信号展開部２２１によって５つの並列したＰＷＭ信号に展開されてから、手順Ｓ２０３へと進む。
【００４７】
Ｓ２０３は、ＰＷＭ信号を、デューティ比の異なるＰＷＭ信号に調整する手順である。
【００４８】
手順Ｓ２０２によって処理された５つの並列したＰＷＭ信号のうちの３本のＰＷＭ信号から、ＯＲゲートサブ回路２２２によって、デューティ比の異なる３つのＰＷＭ信号が生成される。
図８を参照する。図８は、ＯＲゲートサブ回路により、ＰＷＭ信号ＳＲ１、ＳＲ２、ＳＲ３からデューティ比が異なる三つのＰＷＭ信号ＯＲ１、ＯＲ２、ＯＲ３を生成する工程を説明するための概略図である。手順Ｓ２０２によって並列した、複数のＰＷＭ信号の内ＳＲ１、ＳＲ２、ＳＲ３信号を、デューティ比の異なる信号ＯＲ１、ＯＲ２、ＯＲ３に調整するとともに、スイッチ２２３にまで送信する。スイッチ２２３は、薄膜電界効果トランジスタまたはその他の同様の効果を持った機能を備えるトランジスタからなり、スイッチ２２３は、ＯＲゲートサブ回路２２２と、高圧側電源ＶＣＣと（図示せず）、充放電サブ回路２２４と、を接続させる。
【００４９】
Ｓ２０４は、データ駆動回路１１２に提供するガンマ基準電圧を生成するようにコンデンサに充放電させる手順である。
【００５０】
手順Ｓ２０３によって処理したＰＷＭ信号は、スイッチのオン及びオフを制御し、ＰＷＭ信号が高電圧である時は、高圧側電源ＶＣＣによってコンデンサを充電させ、ＰＷＭ信号が低電圧である時は、充電を停止させる。また、次に新たに充電する前に、先に放電信号によってコンデンサが０になるようにし、蓄電しないようにしてから、手順Ｓ２０５へと進む。
【００５１】
Ｓ２０５は、ガンマ基準電圧を安定させる手順である。
【００５２】
充電する時、ガンマ電圧の電圧に間違いが生じるのを避けるため、サンプル保持サブ回路２２５を用いてガンマ基準電圧を安定させるとともに、手順Ｓ２０４のＰＷＭ信号の放電信号によって、データ駆動回路１１２に提供するガンマ基準電圧が溜まったコンデンサの電圧をクリアしてから、手順Ｓ２０６へと進む。
【００５３】
Ｓ２０６は、ガンマ基準電圧を送信する手順である。
【００５４】
安定したガンマ基準電圧を、データ駆動回路１１２に送信する。
【００５５】
以下では、一実施例内の一つの完全な周期を例として、本発明の駆動方法についてさらに説明を行う。
一周期が５つのパルス信号からなるＰＷＭ信号を例とする。
【００５６】
図６を参照する。図６は、駆動方法を説明するための全体タイミングチャートである。
【００５７】
パルス発生回路１２０は、ＰＷＭ信号を発生させ、Ｗ＿ｄｉｓｃｈａｒｇｅ、Ｗ１、Ｗ２、Ｗ３、Ｗ＿ｓａｍｐｌｅ、からなる信号を、ＰＷＭ信号展開部２２１で展開して、並列したＳＲ＿ｄｉｓｃｈａｒｇｅ、ＳＲ１、ＳＲ２、ＳＲ３、ＳＲ＿ｓａｍｐｌｅ信号に変換し、ＳＲ＿ｄｉｓｃｈａｒｇｅ信号を、充放電サブ回路２２４とサンプル保持サブ回路２２５に送信し、ＳＲ＿ｓａｍｐｌｅ信号を、サンプル保持サブ回路２２５に送信し、ＳＲ１、ＳＲ２、ＳＲ３信号を、ＯＲゲートサブ回路２２２によってＯＲ１、ＯＲ２、ＯＲ３信号に変換し、ＯＲ１、ＯＲ２、ＯＲ３信号によって薄膜電界効果トランジスタのオンまたはオフを制御する。
ＯＲ１、ＯＲ２、ＯＲ３信号が高電圧の時、データ駆動回路１１２にガンマ基準電圧を提供するコンデンサを充電させ、低電圧の時、コンデンサの充電を停止させる。
【００５８】
上記は、本発明の実施方式に過ぎず、本発明の特許範囲を制限するものではなく、本発明の明細書及び図の内容を用いて行われる同様の構造または同様の工程の調整、さらに直接的にまたは間接的にその他関係する技術分野において用いられるものについては、すべて同様に、本発明の特許保護範囲内に含まれる。
【符号の説明】
【００５９】
１１０        配列基板
１１１        表示領域
１１２        データ駆動回路
１１３        ガンマ電圧発生回路
１１４        走査駆動回路
１２０        パルス発生回路
２２１        ＰＷＭ信号展開部
２２２        ＯＲゲートサブ回路
２２３        スイッチ
２２４        充放電サブ回路
２２５        サンプル保持サブ回路
【図１】
0006419333.tif 000002
【図２】
0006419333.tif 000003
【図３】
0006419333.tif 000004
【図４】
0006419333.tif 000005
【図５】
0006419333.tif 000006
【図６】
0006419333.tif 000007
【図７】
0006419333.tif 000008
【図８】
0006419333.tif 000009
【図９】
0006419333.tif 000010
【図１０】
0006419333.tif 000011
【図１１】
0006419333.tif 000012
【図１２】
0006419333.tif 000013